(57)【要約】  簡素な構成で、パウチを床上等に落下させた場合におけるフィルムの破断および内容液の漏出を防止するパウチを提供すること。  表裏のフィルム（１１）を熱接着した外周シール部（２０）を形成することにより袋状に形成され、外周シール部（２０）よりも内側の収容部（３０）に内容液を収容するパウチ（１０）であって、パウチ（１０）には、パウチ外縁（１２）に接して形成される未シール部（４０）と、未シール部（４０）に形成されたノッチ（５０）と、外周シール部（２０）の内側シール部（２１）を通って収容部（３０）の内側まで延びる弱化切取線（６０）とが形成されているパウチ（１０）。
2019106984.tif 000002
【特許請求の範囲】
【請求項１】
表裏のフィルムを熱接着した外周シール部を形成することにより袋状に形成され、前記外周シール部よりも内側の収容部に内容液を収容するパウチであって、
前記パウチには、パウチ外縁に接して形成される未シール部と、前記未シール部に形成されたノッチと、前記外周シール部のうち前記未シール部の内側に位置する内側シール部を通って前記収容部の内側まで延びる弱化切取線とが形成されていることを特徴とするパウチ。
【請求項２】
前記パウチ外縁は、前記未シール部が接して形成される縁部を有し、
前記外周シール部は、前記縁部の延在方向において前記未シール部の前方および後方にそれぞれ形成される制御シール部を有していることを特徴とする請求項１に記載のパウチ。
【請求項３】
前記延在方向に直交する方向におけるノッチ股部から前記内側シール部までの距離をＬ１、前記延在方向における前記ノッチ股部から前記制御シール部までの距離をＬ２と規定した場合、
Ｌ１は、０．５〜１６ｍｍで設定されているとともに、
Ｌ２は、０．５〜２０ｍｍで設定されていることを特徴とする請求項２に記載のパウチ。
【発明の詳細な説明】
【技術分野】
【０００１】
本発明は、表裏のフィルムを熱接着した外周シール部を形成することにより袋状に形成され、外周シール部よりも内側の収容部に内容液を収容するパウチに関する。
【背景技術】
【０００２】
従来から、飲料や洗剤等の内容液を収容する容器として、表裏のフィルムを熱接着した外周シール部を形成することにより袋状に形成され、外周シール部よりも内側の収容部に内容液を収容するパウチが広く用いられており、このようなパウチでは、フィルムを引き裂いてパウチを開封し易くするために、図４に示すように、外周シール部１２０の一部を切り欠いて形成されフィルムの破断のキッカケを付与するノッチ１５０や、ノッチ１５０から収容部１３０の内側まで延びフィルムの破断を誘導する弱化切取線１６０を形成することが知られている（例えば、特許文献１を参照）。
【先行技術文献】
【特許文献】
【０００３】
【特許文献１】特許第４４５６５７２号明細書
【発明の概要】
【発明が解決しようとする課題】
【０００４】
ところが、図４に示すようなパウチ１１０では、ノッチ１５０や弱化切取線１６０を形成したパウチ１１０の上部を下側に向けた状態で、パウチ１１０を床上等に落下させてしまうと、パウチ１１０のフィルムが裂けてしまい、内容液が漏出してしまうことがあるという問題があった。【０００５】
上記現象を具体的に説明すると、まず、内容液が収容されたパウチ１１０を床上等に落下させると、内容液の重量に起因して、パウチ１１０が上下方向に潰れるようにパウチ１１０の全体形状に変形が生じる。その際、パウチ１１０の全体形状の変形に応じて、図４に示すように、ノッチ１５０の上側に位置する外周シール部１２０の一部分１２０ａとノッチ１５０の下側に位置する外周シール部１２０の一部分１２０ｂとが、パウチ表裏方向において互いに異なる方向に倒れることがあり、その結果、ノッチ１５０のノッチ股部１５１において外周シール部１２０にせん断力が作用してフィルムの破断が開始し、当該フィルムの破断が弱化切取線１６０に誘導されて収容部１３０にまで達してしまう。【０００６】
そこで、本発明は、これらの問題点を解決するものであり、簡素な構成で、パウチを床上等に落下させた場合におけるフィルムの破断および内容液の漏出を防止するパウチを提供することを目的とするものである。
【課題を解決するための手段】
【０００７】
本発明は、表裏のフィルムを熱接着した外周シール部を形成することにより袋状に形成され、前記外周シール部よりも内側の収容部に内容液を収容するパウチであって、前記パウチには、パウチ外縁に接して形成される未シール部と、前記未シール部に形成されたノッチと、前記外周シール部のうち前記未シール部の内側に位置する内側シール部を通って前記収容部の内側まで延びる弱化切取線とが形成されていることにより、前記課題を解決するものである。
【発明の効果】
【０００８】
本願請求項１に係る発明によれば、表裏のフィルムが熱接着されていない未シール部にノッチを形成することにより、ノッチ周辺における各フィルムの柔軟性および各フィルムの独立した可動性を確保することが可能であるため、パウチを床等に落下させた時に、内容液の重量やパウチの全体形状の変形に起因して生じる力が、各ノッチ股部に集中することを回避でき、その結果、ノッチ股部から開始したフィルムの破断が弱化切取線によって収容部にまで誘導され、内容液が漏出してしまう事態を防止できる。【０００９】
本願請求項２に係る発明によれば、外周シール部が、未シール部の前方および後方にそれぞれ形成される制御シール部を有していることにより、パウチの開封作業時において使用者がノッチ周辺のフィルムを摘んだ際の、表裏のフィルムの相対的なズレを前後の制御シール部によって抑制し、表裏のフィルムにそれぞれ形成された各ノッチ股部の位置が一致または近接した状態を維持することが可能であるため、ノッチ股部を起点としたフィルムの破断作業を容易に行うことができる。
本願請求項３に係る発明によれば、延在方向に直交する方向におけるノッチ股部から内側シール部までの距離をＬ１、延在方向におけるノッチ股部から制御シール部までの距離をＬ２と規定した場合、Ｌ１が０．５〜１６ｍｍで設定されているとともに、Ｌ２が０．５〜２０ｍｍで設定されている。これにより、ノッチ周辺における各フィルムの柔軟性および各フィルムの独立した可動性を確保して、パウチを床等に落下させた時のノッチ股部の破断を回避しつつも、表裏のフィルムの相対的なズレを抑制し、パウチの開封性を良好に確保することができる。
【図面の簡単な説明】
【００１０】
【図１】本発明の一実施形態に係るパウチを示す説明図。
【図２】パウチの変形例を示す説明図。
【図３】パウチの性能を評価する落下試験の結果を示す説明図。
【図４】従来のパウチを示す説明図。
【発明を実施するための形態】
【００１１】
以下に、本発明の一実施形態に係るパウチ１０について、図面に基づいて説明する。
【００１２】
パウチ１０は、図１に示すように、表裏のフィルム１１を熱接着した外周シール部２０をフィルム１１の四辺に形成することにより袋状に形成され、外周シール部２０よりも内側の収容部３０に内容液を収容するものである。
【００１３】
パウチ１０には、図１に示すように、パウチ外縁１２に接して形成される未シール部４０と、パウチ外縁１２の一部を切り欠いたノッチ５０と、ノッチ５０を起点として開始したフィルム１１の破断を誘導する弱化切取線６０とが形成されている。
【００１４】
以下、パウチ１０の各構成要素について、図面に基づいて説明する。
【００１５】
まず、未シール部４０は、図１に示すように、表裏のフィルム１１を熱接着していない部位であり、本実施形態では、未シール部４０の外縁の一部がパウチ外縁１２の左縁部１２ａまたは右縁部１２ｂに接するように、パウチ１０の左辺部および右辺部にそれぞれ形成されている。
【００１６】
また、外周シール部２０は、未シール部４０の周囲に位置する部位として、図１に示すように、未シール部４０の内側（収容部３０側）に位置する内側シール部２１と、パウチ外縁１２の左縁部１２ａまたは右縁部１２ｂの延在方向において、未シール部４０の前方および後方にそれぞれ形成された制御シール部２２とを有している。
【００１７】
また、ノッチ５０は、図１に示すように、パウチ外縁１２の左縁部１２ａおよび右縁部１２ｂを内側に向けてＶ字状に切り欠くことで形成されている。
各ノッチ５０は、ノッチ股部５１を含むその全体が未シール部４０に形成されており、言い替えると、未シール部４０において熱接着されていない表裏のフィルム１１にそれぞれ、ノッチ５０の全体が形成されている。
【００１８】
また、弱化切取線６０は、フィルム１１の他の箇所と較べて強度が弱く破断し易いように形成され、ノッチ股部５１を起点として開始されたフィルム１１の破断を誘導するものである。
本実施形態では、弱化切取線６０は、フィルム１１の内面または外面において直線状に延びる切り込み溝（フィルム１１を表裏方向に貫通していない溝）から構成されている。
【００１９】
弱化切取線６０は、図１に示すように、パウチ１０の左辺部に形成された左側のノッチ５０のノッチ股部５１と、パウチ１０の右辺部に形成された右側のノッチ５０のノッチ股部５１との間を繋ぐように形成されている。
更に具体的に説明すると、弱化切取線６０は、左側のノッチ股部５１から、左側の未シール部４０、左側の外周シール部２０（内側シール部２１）、収容部３０、右側の外周シール部２０（内側シール部２１）、右側の未シール部４０を通って、右側のノッチ５０のノッチ股部５１まで達している。
なお、弱化切取線６０の具体的態様については、上述したように左右のノッチ股部５１を繋ぐように形成されたものに限定されず、未シール部４０内の所定箇所から内側シール部２１を通って少なくとも収容部３０の内側まで延びるものであれば、如何なるものでもよく、例えば、弱化切取線６０が、ノッチ股部５１以外のノッチ５０の一部分（または未シール部４０内におけるノッチ５０の周辺箇所）と収容部３０内の所定箇所とを繋ぐように形成されていてもよい。
【００２０】
また、未シール部４０は、以下の寸法で形成されている。
まず、図１に示すように、左縁部１２ａまたは右縁部１２ｂの延在方向に直交する方向におけるノッチ股部５１から内側シール部２１までの距離をＬ１と規定した場合、Ｌ１は、０．５〜１６ｍｍで設定されている。
また、前記延在方向におけるノッチ股部５１から制御シール部２２までの距離をＬ２と規定した場合、Ｌ２は、０．５〜２０ｍｍで設定されている。
【００２１】
上記のように、未シール部４０を形成することにより、ノッチ５０周辺における各フィルム１１の柔軟性および各フィルム１１の独立した可動性を確保して、パウチ１０を床等に落下させた時のノッチ股部５１の破断を回避しつつも、表裏のフィルム１１の相対的なズレを抑制し、パウチ１０の開封性を良好に確保することができる。
なお、フィルム１１の厚みは、２５〜２００μｍで設定されている。
【００２２】
なお、図１に示す例では、左縁部１２ａまたは右縁部１２ｂの延在方向において、ノッチ股部５１から前方側の制御シール部２２までの距離Ｌ２と、ノッチ股部５１から後方側の制御シール部２２までの距離Ｌ２とが同一に形成されているが、これら距離Ｌ２が互いに異なるように、ノッチ股部５１の位置を設定してもよい。
【００２３】
次に、パウチ１０の性能を評価するために行った落下試験について、図３に基いて以下に説明する。
【００２４】
まず、本試験では、ノッチ５０の周辺に未シール部４０を形成した図１に示す本願のパウチ１０と、ノッチ５０の周辺に未シール部４０を形成していない図４に示す従来のパウチ１１０とを用意し、各パウチ１０、１１０の収容部３０、１３０に水２２０ｇを充填して５℃で保管した後に、１００ｃｍの高さから１０回ずつ床に落下させて、フィルム１１の破断および内容液の漏出が生じるか否かを確認した。
【００２５】
なお、試験に用いた本願のパウチ１０と従来のパウチ１１０との構造状の差異は、未シール部４０の形成の有無のみであり、その他各部の寸法やフィルム１１の材料等の他の条件については同一である。
【００２６】
また、本試験では、パウチ１０、１１０の落下態様として、ノッチ５０、１５０や弱化切取線６０、１６０を形成したパウチ１０、１１０の上部が下側に向いた状態で落下させる「垂直落下」と、パウチ１０、１１０の上部および下部を水平方向に向けた状態で落下させる「水平落下」の２種類の態様を採用した。
【００２７】
上記の試験の結果から、以下のことが分かった。
まず、本願のパウチ１０と従来のパウチ１１０のいずれの場合でも、水平落下させた場合には、フィルム１１の破断および内容液の漏出が生じないことが分かった。
また、パウチ１０、１１０を垂直落下させた場合に、従来のパウチ１１０では、１０回中８回のフィルム１１の破断および内容液の漏出が確認されたのに対して、本願のパウチ１０では、フィルム１１の破断および内容液の漏出が確認されなかった。これにより、本願のパウチ１０によるフィルム１１の破断および内容液の漏出の防止効果が確認された。
【００２８】
以上、本発明の実施形態を詳述したが、本発明は上記実施形態に限定されるものではなく、特許請求の範囲に記載された本発明を逸脱することなく種々の設計変更を行なうことが可能である。
【００２９】
例えば、パウチ１０を構成するフィルム１１の具体的態様は、如何なるものでもよく、その具体例としては、ポリエステル、ポリプロピレン、ポリアミド、ポリエチレン、エチレン−ビニルアルコール共重合体等の合成樹脂性フィルム、これら合成樹脂性フィルムにガスバリア性や水分バリア性を付与したコーティングフィルムまたは蒸着フィルム等の公知の合成樹脂性フィルムを積層したり、合成樹脂製フィルムに紙またはアルミ箔を積層することで形成されたもの等が挙げられる。
また、上述した実施形態では、２枚のフィルム１１の四辺を熱接着することでパウチ１０を袋状に形成するものとして説明したが、パウチ１０の具体的態様はこれに限定されず、例えば、１枚のフィルム１１を二つ折りし、折り返した辺以外の残り３辺を熱接着することでパウチ１０を袋状に成形したもの等、如何なるものでもよい。
また、パウチ１０の全体形状は、上述した実施形態で示した四角形状以外の、台形や、一部に凹凸のある異形形状等、如何なるものでもよい。
また、パウチ１０の内容液の具体的態様は、液体に限定されず、固体および液体が混ざった流動体であってもよい。
【００３０】
また、上述した実施形態では、パウチ１０の対向する２辺（左辺部および右辺部）に、それぞれ、未シール部４０およびノッチ５０が形成されているものとして説明したが、未シール部４０およびノッチ５０は、図２に示すように、パウチ１０の少なくとも一箇所に形成すればよい。
また、上述した実施形態では、未シール部４０が、ノッチ５０の周囲に部分的に形成されているものとして説明したが、未シール部４０の具体的態様は上記に限定されず、例えば、図２に示すように、パウチ１０の左辺部の全域に亘って未シール部４０を形成してもよい。
また、上述した実施形態では、未シール部４０が、四角形状に形成されているものとして説明したが、未シール部４０の具体的形状は、例えば、その外縁の少なくとも一部が曲線から構成されているものや、その外縁の一部に凹凸のある異形形状等、如何なるものでもよい。
また、上述した実施形態では、ノッチ５０が、フィルム１１にＶ字状に切り欠きを設けたＶノッチであるものとして説明したが、ノッチ５０の具体的態様はＶノッチに限定されず、例えば、図２に示すように、線状に切り込みを設けたＩノッチや、Ｕ字状に切り欠きを設けたＵノッチ等、如何なるものでもよい。
また、上述した実施形態では、パウチ１０の各辺（左辺部および右辺部）に単一のノッチ５０を形成する所謂シングルノッチの態様で、ノッチ５０を形成したが、パウチ１０の各辺に複数の微細な傷痕や穿孔等の弱化部分を開封のきっかけとするノッチ５０を形成してもよい。
また、上述した実施形態では、弱化切取線６０が、フィルム１１の内面または外面に直線状に延びる切り込み溝を設けることで形成されているものとして説明したが、弱化切取線６０は、フィルム１１の他の箇所と較べて強度が弱く破断し易くなっていればよく、その具体的態様は如何なるものでもよい。
【符号の説明】
【００３１】
１０    ・・・  パウチ
１１    ・・・  フィルム
１２    ・・・  パウチ外縁
１２ａ  ・・・  左縁部（縁部）
１２ｂ  ・・・  右縁部（縁部）
２０    ・・・  外周シール部
２１    ・・・  内側シール部
２２    ・・・  制御シール部
３０    ・・・  収容部
４０    ・・・  未シール部
５０    ・・・  ノッチ
５１    ・・・  ノッチ股部
６０    ・・・  弱化切取線
【図１】
2019106984.tif 000003
【図２】
2019106984.tif 000004
【図３】
2019106984.tif 000005
【図４】
2019106984.tif 000006
【国際調査報告】
2019106984.tif 000007
2019106984.tif 000008
2019106984.tif 000009
2019106984.tif 000010